(57)【要約】【課題】冷媒回路の低圧域に配設された電磁弁のバルブ本体に付着する着霜量を低減させ、電磁弁の絶縁劣化を防止することができる冷媒回路装置を提供すること。【解決手段】供給された冷媒を蒸発させて自身が配設された室の内部雰囲気を冷却する庫内熱交換器２４と、それぞれの庫内熱交換器２４で蒸発した冷媒を吸引して圧縮する圧縮機２１と、圧縮機２１で圧縮された冷媒を凝縮させる庫外熱交換器２２と、庫外熱交換器２２で凝縮した冷媒を断熱膨張させる第１キャピラリーチューブ２３とを冷媒配管２５で順次接続して構成した冷媒回路１０を備えた冷媒回路装置において、冷媒回路１０において冷媒が低圧状態となる低圧域に配設された電磁弁のバルブ本体を、該電磁弁の上流側及び下流側に接続された冷媒配管２５の一部とともに囲繞する態様で内部に収容する断熱構造の断熱筐体６０を備えたものである。【選択図】図６
2011007392.tif 000002
【特許請求の範囲】
【請求項１】
供給された冷媒を蒸発させて自身が配設された室の内部雰囲気を冷却する庫内熱交換器と、
それぞれの庫内熱交換器で蒸発した冷媒を吸引して圧縮する圧縮機と、
前記圧縮機で圧縮された冷媒を凝縮させる庫外熱交換器と、
前記庫外熱交換器で凝縮した冷媒を断熱膨張させる膨張機構と
を冷媒配管で順次接続して構成した冷媒回路を備えた冷媒回路装置において、
前記冷媒回路において前記冷媒が低圧状態となる低圧域に配設された電磁弁のバルブ本体を、該電磁弁の上流側及び下流側に接続された冷媒配管の一部とともに囲繞する態様で内部に収容する断熱構造の筐体を備えたことを特徴とする冷媒回路装置。
【請求項２】
前記筐体は、前記庫内熱交換器のそれぞれの上流側に配設され、前記膨張機構で断熱膨張した冷媒の通過を規制、あるいは許容する低圧側電磁弁のバルブ本体を収容することを特徴とする請求項１に記載の冷媒回路装置。
【請求項３】
前記筐体は、前記バルブ本体毎に、それぞれのバルブ本体とともに電磁弁を構成するカプラー毎の色彩の印字が表面に施されていることを特徴とする請求項１又は請求項２に記載の冷媒回路装置。
【請求項４】
一部が前記筐体の外部に露出された態様で配設され、該筐体の内部で生じた結露水を毛管現象にて吸引して外部に露出する部分で蒸発させるシート体を備えたことを特徴とする請求項１〜３のいずれか一つに記載の冷媒回路装置。
【請求項５】
前記筐体の外部に露出するシート体に向けて送風手段により送出される風の少なくとも一部を向かわせる風向部材を備えたことを特徴とする請求項４に記載の冷媒回路装置。
【発明の詳細な説明】
【技術分野】
【０００１】
本発明は、冷媒回路装置に関し、より詳細には、例えば自動販売機等に適用される冷媒回路装置に関するものである。
【背景技術】
【０００２】
従来、例えば自動販売機等に適用される冷媒回路装置として、庫内熱交換器、圧縮機、庫外熱交換器及び膨張機構が冷媒配管で順次接続されて構成された冷媒回路を有するものが知られている。
【０００３】
庫内熱交換器は、自動販売機の商品収容庫のそれぞれの内部に配設されている。これら庫内熱交換器は、通過する冷媒が蒸発することにより、自身が配設された商品収容庫の内部空気（内部雰囲気）を冷却するものである。圧縮機は、自動販売機本体内であって商品収容庫の外部となる個所、例えば機械室に配設されており、各庫内熱交換器で蒸発した冷媒を吸引し、吸引した冷媒を圧縮して高温高圧の状態にして吐出するものである。庫外熱交換器は、圧縮機と同様に自動販売機本体内であって商品収容庫の外部となる個所（機械室等）に配設されている。この庫外熱交換器は、通過する冷媒が凝縮することにより、周囲空気を加熱、すなわち周囲空気に放熱するものである。膨張機構は、庫外熱交換器で凝縮した冷媒を断熱膨張させるためのものである。
【０００４】
このような冷媒回路では、圧縮機で圧縮された冷媒が庫外熱交換器で凝縮し、凝縮した冷媒が膨張機構で断熱膨張され、各庫内熱交換器でそれぞれ蒸発する。各庫内熱交換器で蒸発した冷媒は、圧縮機により吸引されて再び圧縮されて循環することになる。
【０００５】
そして、このような冷媒回路を有する冷媒回路装置においては、庫内熱交換器の上流側に配設され、かつ膨張機構で断熱膨張した冷媒の通過を許容、あるいは規制するための電磁弁が雨水等により濡れることを防止するために該電磁弁をカバー部材で覆うようにして構成されたものが知られている（例えば、特許文献１参照）。
【先行技術文献】
【特許文献】
【０００６】
【特許文献１】特開平９−１９８５６４号公報
【発明の概要】
【発明が解決しようとする課題】
【０００７】
ところで、上述したような電磁弁は、膨張機構で断熱膨張した冷媒、すなわち低圧低温の冷媒の通過を許容、あるいは規制するものであるため、その表面等に霜が付着してしまうことが知られている。このように霜が付着して着霜量が過大になってしまうと、電磁弁の絶縁性を良好に確保することが困難になり、結果として電磁弁の絶縁劣化を招来することになる。このことは、上述した特許文献１に提案されているように電磁弁をカバー部材で覆うようにしていても電磁弁の表面全体を被覆していなければ、結果的に表面に霜が付着することとなり、電磁弁の絶縁劣化を招来することになる。
【０００８】
本発明は、上記実情に鑑みて、冷媒回路において冷媒が低圧状態となる低圧域に配設された電磁弁を周囲から断熱させることにより、該電磁弁のバルブ本体に付着する着霜量を低減させ、電磁弁の絶縁劣化を防止することができる冷媒回路装置を提供することを目的とする。
【課題を解決するための手段】
【０００９】
上記目的を達成するために、本発明の請求項１に係る冷媒回路装置は、供給された冷媒を蒸発させて自身が配設された室の内部雰囲気を冷却する庫内熱交換器と、それぞれの庫内熱交換器で蒸発した冷媒を吸引して圧縮する圧縮機と、前記圧縮機で圧縮された冷媒を凝縮させる庫外熱交換器と、前記庫外熱交換器で凝縮した冷媒を断熱膨張させる膨張機構とを冷媒配管で順次接続して構成した冷媒回路を備えた冷媒回路装置において、前記冷媒回路において前記冷媒が低圧状態となる低圧域に配設された電磁弁のバルブ本体を、該電磁弁の上流側及び下流側に接続された冷媒配管の一部とともに囲繞する態様で内部に収容する断熱構造の筐体を備えたことを特徴とする。
【００１０】
また、本発明の請求項２に係る冷媒回路装置は、上述した請求項１において、前記筐体は、前記庫内熱交換器のそれぞれの上流側に配設され、前記膨張機構で断熱膨張した冷媒の通過を規制、あるいは許容する低圧側電磁弁のバルブ本体を収容することを特徴とする。
【００１１】
また、本発明の請求項３に係る冷媒回路装置は、上述した請求項１又は請求項２において、前記筐体は、前記バルブ本体毎に、それぞれのバルブ本体とともに電磁弁を構成するカプラー毎の色彩の印字が表面に施されていることを特徴とする。
【００１２】
また、本発明の請求項４に係る冷媒回路装置は、上述した請求項１〜３のいずれか一つにおいて、一部が前記筐体の外部に露出された態様で配設され、該筐体の内部で生じた結露水を毛管現象にて吸引して外部に露出する部分で蒸発させるシート体を備えたことを特徴とする。
【００１３】
また、本発明の請求項５に係る冷媒回路装置は、上述した請求項４において、前記筐体の外部に露出するシート体に向けて送風手段により送出される風の少なくとも一部を向かわせる風向部材を備えたことを特徴とする。
【発明の効果】
【００１４】
本発明の冷媒回路装置によれば、断熱構造の筐体が、冷媒回路において冷媒が低圧状態となる低圧域に配設された電磁弁のバルブ本体を、該電磁弁の上流側及び下流側に接続された冷媒配管の一部とともに囲繞する態様で内部に収容するので、これら電磁弁の断熱性を向上させることができる。そのため、これら電磁弁のそれぞれのバルブ本体に付着する着霜量を低減させ、電磁弁の絶縁劣化を防止することができるという効果を奏する。
【図面の簡単な説明】
【００１５】
【図１】図１は、本発明の実施の形態である冷媒回路装置が適用された自動販売機の内部構造を正面から見た場合を示す断面図である。
【図２】図２は、図１に示した自動販売機の内部構造を示すものであり、右側の商品収容庫の断面側面図である。
【図３】図３は、本発明の実施の形態である冷媒回路装置を概念的に示す概念図である。
【図４】図４は、本発明の実施の形態である冷媒回路装置を概念的に示す概念図である。
【図５】図５は、本発明の実施の形態である冷媒回路装置を概念的に示す概念図である。
【図６】図６は、冷媒回路の構成を示す説明図である。
【図７】図７は、図６に示した冷媒回路の要部を拡大して示す斜視図である。
【図８】図８は、図６及び図７に示した断熱筐体を示す分解斜視図である。
【図９】図９は、図６及び図７に示した断熱筐体を示す斜視図である。
【発明を実施するための形態】
【００１６】
以下に添付図面を参照して、本発明に係る冷媒回路装置の好適な実施の形態について詳細に説明する。
【００１７】
図１は、本発明の実施の形態である冷媒回路装置が適用された自動販売機の内部構造を正面から見た場合を示す断面図である。ここで例示する自動販売機は、本体キャビネット１を備えている。
【００１８】
本体キャビネット１は、前面が開口した直方状の形態を成すものである。この本体キャビネット１には、その内部に例えば２つの断熱仕切板２によって仕切られた３つの独立した商品収容庫３が左右に並んだ態様で設けてある。この商品収容庫３は、缶入り飲料やペットボトル入り飲料等の商品を所望の温度に維持した状態で収容するためのもので、断熱構造を有している。
【００１９】
図２は、図１に示した自動販売機の内部構造を示すものであり、右側の商品収容庫の断面側面図である。尚、ここでは右側の商品収容庫３（以下、適宜右庫３ａとも称する）の内部構造について示すが、中央の商品収容庫３（以下、適宜中庫３ｂとも称する）及び左側の商品収容庫３（以下、適宜左庫３ｃとも称する）の内部構造も右庫３ａと略同じような構成である。尚、本明細書における右側とは、自動販売機を正面から見た場合の右方を示し、左側とは、自動販売機を正面から見た場合の左方を示す。
【００２０】
図２に示すように、本体キャビネット１の前面には、外扉４及び内扉５が設けてある。外扉４は、本体キャビネット１の前面開口を開閉するためのものであり、内扉５は、商品収容庫３の前面を開閉するためのものである。この内扉５は、上下に分割してあり、上側の扉５ａは商品を補充する際に開閉するものである。
【００２１】
上記商品収容庫３には、商品収納ラック６、搬出機構７及び搬出シュータ８が設けてある。商品収納ラック６は、商品を上下方向に沿って並ぶ態様で収納するためのものである。搬出機構７は、商品収納ラック６の下方部に設けてあり、この商品収納ラック６に収納された商品群の最下位にある商品を１つずつ搬出するためのものである。搬出シュータ８は、搬出機構７から搬出された商品を外扉４に設けられた商品取出口４ａに導くためのものである。
【００２２】
図３は、本発明の実施の形態である冷媒回路装置を概念的に示す概念図である。ここで例示する冷媒回路装置は、主回路２０、分岐経路３０、放熱経路４０及び戻経路５０からなる冷媒回路１０を備えて構成してある。
【００２３】
主回路２０は、圧縮機２１、庫外熱交換器２２、第１キャピラリーチューブ２３及び庫内熱交換器２４を冷媒配管２５にて順次接続して構成してあり、内部に冷媒（例えばＲ１３４ａ）が封入してある。
【００２４】
圧縮機２１は、図２にも示すように機械室９に配設してある。機械室９は、本体キャビネット１の内部であって商品収容庫３と区画され、かつ商品収容庫３の下方側の室である。この圧縮機２１は、吸引口を通じて冷媒を吸引し、吸引した冷媒を圧縮して高温高圧の状態（高温高圧冷媒）にして吐出口より吐出するものである。
【００２５】
庫外熱交換器２２は、図２にも示すように圧縮機２１と同様に機械室９に配設してある。この庫外熱交換器２２は、通過する冷媒を凝縮させるものである。より詳細に説明すると、圧縮機２１で圧縮され、かつ吐出口から吐出されて冷媒配管２５を通じて送出された冷媒を周囲空気と熱交換させて凝縮させるものである。この庫外熱交換器２２の近傍には、庫外送風ファンＦ１が配設してある。庫外送風ファンＦ１は、外気を取り込んで庫外熱交換器２２の周囲を通過させる態様で送風させる送風手段である。
【００２６】
この庫外熱交換器２２と圧縮機２１とを接続する冷媒配管２５には、高圧側電磁弁２６１が設けてある。かかる高圧側電磁弁２６１は、開閉可能な弁体であり、図示せぬ制御部から開指令が与えられた場合には開成して冷媒の通過を許容する一方、閉指令が与えられた場合には閉成して冷媒の通過を規制するものである。
【００２７】
第１キャピラリーチューブ２３は、図２にも示すように圧縮機２１及び庫外熱交換器２２と同様に機械室９に配設してある。この第１キャピラリーチューブ２３は、通過する冷媒を減圧して断熱膨張させる膨張機構である。
【００２８】
庫内熱交換器２４は、複数（図示の例では３つ）設けてあり、各商品収容庫３の内部低域であって、背面ダクトＤ（図２参照）の前面側に配設してある。
【００２９】
これら庫内熱交換器２４と第１キャピラリーチューブ２３とを接続する冷媒配管２５は、その途中に配設された分配器２７により３つに分岐され、右庫３ａに配設された庫内熱交換器２４（以下、右庫内熱交換器２４ａとも称する）の入口側に、中庫３ｂに配設された庫内熱交換器２４（以下、中庫内熱交換器２４ｂとも称する）の入口側に、左庫３ｃの内部に配設された庫内熱交換器２４（以下、左庫内熱交換器２４ｃとも称する）の入口側にそれぞれ接続してある。
【００３０】
また、この冷媒配管２５においては、分配器２７から右庫内熱交換器２４ａ、中庫内熱交換器２４ｂ及び左庫内熱交換器２４ｃのそれぞれに至る途中に低圧側電磁弁２６２，２６３，２６４が設けてある。低圧側電磁弁２６２，２６３，２６４は、開閉可能な弁体であり、制御部から開指令が与えられた場合には開成して冷媒の通過を許容する一方、閉指令が与えられた場合には閉成して冷媒の通過を規制するものである。
【００３１】
中庫内熱交換器２４ｂ及び左庫内熱交換器２４ｃの出口側に接続された冷媒配管２５は、途中の第１合流点Ｐ１で合流し、更に右庫内熱交換器２４ａの出口側に接続された冷媒配管２５は、第２合流点Ｐ２で合流し、アキュムレータ２８を介して圧縮機２１に接続している。ここで、アキュムレータ２８は、通過する冷媒が気液混合冷媒である場合に、液相冷媒を貯留して気相冷媒を通過させるためのものである。
【００３２】
中庫内熱交換器２４ｂ及び左庫内熱交換器２４ｃの出口側に接続された冷媒配管２５には、それぞれ第１合流点Ｐ１の上流側に帰還用電磁弁２６５，２６６が配設してある。かかる帰還用電磁弁２６５，２６６は、開閉可能な弁体であり、図示せぬ制御部から開指令が与えられた場合には開成して冷媒の通過を許容する一方、閉指令が与えられた場合には閉成して冷媒の通過を規制するものである。
【００３３】
分岐経路３０は、圧縮機２１と高圧側電磁弁２６１との経路の途中の高圧側分岐点Ｐ３から分岐し、その途中でさらに分岐して、一方が中庫内熱交換器２４ｂの入口側の冷媒配管２５に、他方が左庫内熱交換器２４ｃの入口側の冷媒配管２５にそれぞれ合流する分岐配管３１により構成された経路である。この分岐経路３０は、圧縮機２１で圧縮された冷媒（高圧冷媒）を導入する経路である。ここで、中庫内熱交換器２４ｂ及び左庫内熱交換器２４ｃの入口側の冷媒配管２５においては、各分岐配管３１（各分岐経路３０）との合流個所よりも上流側の経路、すなわち各合流個所とその上流にある低圧側電磁弁２６３，２６４との間の経路には、逆止弁２６７，２６８が設けてある。
【００３４】
かかる分岐経路３０においては、分岐個所の下流側にそれぞれ分岐電磁弁３２１，３２２が設けてある。分岐電磁弁３２１，３２２は、開閉可能な弁体であり、制御部から開指令が与えられた場合には開成して冷媒の通過を許容する一方、閉指令が与えられた場合には閉成して冷媒の通過を規制するものである。
【００３５】
つまり、中庫内熱交換器２４ｂ及び左庫内熱交換器２４ｃは、分岐経路３０を通じて圧縮機２１で圧縮された冷媒が供給された場合には、通過する冷媒を凝縮させて対象となる商品収容庫３（中庫３ｂ、左庫３ｃ）の内部空気を加熱するものである。
【００３６】
放熱経路４０は、中庫内熱交換器２４ｂ及び左庫内熱交換器２４ｃの出口側に接続された冷媒配管２５のそれぞれの途中で分岐され、第３合流点Ｐ４で合流し、庫外熱交換器２２に隣接する態様で配設されたガスクーラ４１の入口側に接続された放熱配管４２により構成された経路である。この放熱経路４０は、中庫内熱交換器２４ｂ及び左庫内熱交換器２４ｃの少なくとも一方で凝縮した冷媒をガスクーラ４１に供給するためのものである。かかる放熱経路４０により冷媒が供給されたガスクーラ４１では、該冷媒と周囲空気との間で熱交換が行われ、該冷媒が放熱する。すなわち、放熱経路４０は、庫内熱交換器２４で凝縮した冷媒を導入してガスクーラ４１に供給し、該ガスクーラ４１にて該冷媒を周囲空気と熱交換させて放熱させるものである。
【００３７】
このような放熱経路４０を構成する放熱配管４２の途中、すなわち中庫内熱交換器２４ｂ及び左庫内熱交換器２４ｃの出口側に接続された冷媒配管２５との分岐点から第３合流点Ｐ４に至る途中に、それぞれ逆止弁４３１，４３２が設けてある。
【００３８】
戻経路５０は、ガスクーラ４１の出口側に接続され、かつ主回路２０を構成する冷媒配管２５、すなわち第１キャピラリーチューブ２３と分配器２７との間の冷媒配管２５の第４合流点Ｐ５に接続する戻配管５１により構成された経路である。
【００３９】
この戻経路５０を構成する戻配管５１の途中には第２キャピラリーチューブ５２が設けてある。この第２キャピラリーチューブ５２は、通過する冷媒を減圧して断熱膨張させるものである。
【００４０】
このような構成を有する冷媒回路装置は、次のようにして商品収容庫３に収容された商品を冷却、あるいは加熱する。
【００４１】
まず、ＣＣＣ運転（すべての商品収容庫３の内部空気を冷却する運転）を行う場合について説明する。この場合、分岐電磁弁３２１，３２２を閉成させ、高圧側電磁弁２６１、低圧側電磁弁２６２，２６３，２６４及び帰還用電磁弁２６５，２６６を開成させる。これにより圧縮機２１で圧縮された冷媒は、図４に示すように循環する。
【００４２】
すなわち、圧縮機２１で圧縮された冷媒は、開成する高圧側電磁弁２６１を通過して庫外熱交換器２２に至る。庫外熱交換器２２に至った冷媒は、該庫外熱交換器２２を通過中に、周囲空気（外気）に放熱して凝縮する。庫外熱交換器２２で凝縮した冷媒は、第１キャピラリーチューブ２３で断熱膨張する。
【００４３】
第１キャピラリーチューブ２３で断熱膨張して気化した冷媒は、分配器２７で３つに分岐され、右庫内熱交換器２４ａ、中庫内熱交換器２４ｂ及び左庫内熱交換器２４ｃに至り、各庫内熱交換器２４で蒸発して商品収容庫３の内部空気から熱を奪い、該内部空気を冷却する。冷却された内部空気は、各庫内送風ファンの駆動により内部を循環し、これにより各商品収容庫３に収容された商品は、循環する内部空気に冷却される。各庫内熱交換器２４で蒸発した冷媒は、アキュムレータ２８にて気液分離された後、気相部分が圧縮機２１に吸引され、圧縮機２１に圧縮されて上述した循環を繰り返す。
【００４４】
次に、ＨＨＣ運転（中庫３ｂ及び左庫３ｃの内部空気を加熱し、かつ右庫３ａの内部空気を冷却する運転）を行う場合について説明する。この場合、高圧側電磁弁２６１、低圧側電磁弁２６３，２６４及び帰還用電磁弁２６５，２６６を閉成させ、分岐電磁弁３２１，３２２及び低圧側電磁弁２６２を開成させる。これにより圧縮機２１で圧縮された冷媒は、図５に示すように循環する。
【００４５】
すなわち、圧縮機２１で圧縮された冷媒は、分岐経路３０を通過して中庫内熱交換器２４ｂ及び左庫内熱交換器２４ｃに至る。中庫内熱交換器２４ｂ及び左庫内熱交換器２４ｃに至った冷媒は、該熱交換器を通過中に、中庫３ｂ及び左庫３ｃの内部空気とそれぞれ熱交換し、該内部空気に放熱して凝縮する。これにより、中庫３ｂ及び左庫３ｃの内部空気を加熱する。加熱された内部空気は、図示せぬ庫内送風ファンの駆動により、中庫３ｂ及び左庫３ｃのそれぞれの内部を循環し、これにより各商品収容庫３（中庫３ｂ及び左庫３ｃ）に収容された商品は、循環する内部空気に加熱される。
【００４６】
中庫内熱交換器２４ｂ及び左庫内熱交換器２４ｃで凝縮した冷媒は、放熱経路４０を構成する放熱配管４２を通過してガスクーラ４１に至り、該ガスクーラ４１で周囲空気に放熱する。ガスクーラ４１で放熱した冷媒は、第２キャピラリーチューブ５２で断熱膨張する。
【００４７】
第２キャピラリーチューブ５２で断熱膨張して気化した冷媒は、分配器２７を経由して開成する低圧側電磁弁２６２を通過して右庫内熱交換器２４ａに至り、この右庫内熱交換器２４ａで蒸発して右庫３ａの内部空気から熱を奪い、該内部空気を冷却する。冷却された内部空気は、右庫内送風ファンＦ２（図２参照）の駆動により右庫３ａの内部を循環し、これにより右庫３ａに収容された商品は冷却される。右庫内熱交換器２４ａで蒸発した冷媒は、アキュムレータ２８にて気液分離された後、気相部分が圧縮機２１に吸引され、圧縮機２１に圧縮されて上述した循環を繰り返す。このように冷媒回路１０は、ヒートポンプとしての機能を有している。
【００４８】
図６は、上記冷媒回路の構成を示す説明図であり、図７は、図６に示した冷媒回路の要部を拡大して示す斜視図である。
【００４９】
これら図６及び図７に示すように、上述した冷媒回路１０においては、冷媒が低圧状態で通過する領域、すなわち膨張機構である第１キャピラリーチューブ２３及び第２キャピラリーチューブ５２のそれぞれから圧縮機２１の吸入口に至る低圧域に配設した電磁弁（低圧側電磁弁２６２，２６３，２６４及び帰還用電磁弁２６５，２６６）は、一部が断熱筐体６０に囲繞された態様で収容されている。これについてより詳細に説明すると次のようになる。
【００５０】
図８及び図９は、それぞれ図６及び図７に示した断熱筐体を示すものであり、図８は分解斜視図、図９は斜視図である。まず、低圧側電磁弁２６２，２６３，２６４及び帰還用電磁弁２６５，２６６は、略同一の高さレベルに配設してあり、バルブ本体２６２１，２６３１，２６４１，２６５１，２６６１及びカプラー２６２２，２６３２，２６４２，２６５２，２６６２を備えて構成してある。バルブ本体２６２１，２６３１，２６４１，２６５１，２６６１は、冷媒配管２５に連結された部位であり、内部にプランジャ２６２３，２６３３，２６４３，２６５３，２６６３が上下動可能に配設してある。カプラー２６２２，２６３２，２６４２，２６５２，２６６２は、内部に電磁弁コイルが収容してあり、それぞれ異なる色彩が施されている。具体的には、低圧側電磁弁２６２，２６３，２６４を構成するものには、赤色、黄色、白色が施され、帰還用電磁弁２６５，２６６を構成するものには、黒色、青色が施されている。このような低圧側電磁弁２６２，２６３，２６４及び帰還用電磁弁２６５，２６６は、電磁弁コイルによりプランジャ２６２３，２６３３，２６４３，２６５３，２６６３が必要に応じて上下動することにより、開成状態、あるいは閉成状態となって冷媒の通過を許容、あるいは規制するものである。
【００５１】
次に断熱筐体６０は、例えば発泡スチロール等の断熱材により形成されたもので、筐体下部６１に筐体上部６２が合わさって構成されるものであり、低圧側電磁弁２６２，２６３，２６４及び帰還用電磁弁２６５，２６６のそれぞれのバルブ本体２６２１，２６３１，２６４１，２６５１，２６６１、並びにこれら低圧側電磁弁２６２，２６３，２６４及び帰還用電磁弁２６５，２６６の上流側及び下流側に接続された冷媒配管２５の一部を内部に収容できる大きさを有している。筐体下部６１は、断熱筐体６０の内部における底部分を構成している。
【００５２】
筐体上部６２は、断熱筐体６０の蓋部分を構成するものであり、低圧側電磁弁２６２，２６３，２６４及び帰還用電磁弁２６５，２６６のそれぞれのバルブ本体２６２１，２６３１，２６４１，２６５１，２６６１の内部に配設されたプランジャ２６２３，２６３３，２６４３，２６５３，２６６３を挿通するさせるための貫通孔６３が一直線上に並設してある。
【００５３】
このような筐体上部６２の上面には、それぞれの電磁弁に個別に接続すべきカプラー２６２２，２６３２，２６４２，２６５２，２６６２の色彩が印字されている。つまり、赤色のカプラー２６２２が接続されるべきプランジャ２６２３が挿通する貫通孔６３に対応して「Ｒ」の印字が施され、黄色のカプラー２６３２が接続されるべきプランジャ２６３３が挿通する貫通孔６３に対応して「Ｙ」の印字が施され、白色のカプラー２６４２が接続されるべきプランジャ２６４３が挿通する貫通孔６３に対応して「Ｗ」の印字が施され、黒色のカプラー２６５２が接続されるべきプランジャ２６５３が挿通する貫通孔６３に対応して「Ｂｋ」の印字が施され、青色のカプラー２６６２が接続されるべきプランジャ２６６３が挿通する貫通孔６３に対応して「Ｂ」の印字が施されている。
【００５４】
そして、それぞれのカプラー２６２２，２６３２，２６４２，２６５２，２６６２を対応するプランジャ２６２３，２６３３，２６４３，２６５３，２６６３にネジ部材６４により締結することにより低圧側電磁弁２６２，２６３，２６４及び帰還用電磁弁２６５，２６６が構成されることになる。図８及び図９中の符号６５は、リード線である。
【００５５】
上記断熱筐体６０においては、一端が断熱筐体６０の内部に延在し、他端が外部に露出したシート体６６が筐体下部６１と筐体上部６２とに挟まれる態様で配設してある。このシート体６６は、例えば不織布等のようなものであり、断熱筐体６０の内部に生じた結露水を毛管現象にて吸引し、外部に露出した部分で蒸発させるものである。
【００５６】
また図７に示すように、庫外送風ファンＦ１の後方側、すなわち圧縮機２１側には、庫外送風ファンＦ１により送出される風の一部を断熱筐体６０の外部に露出するシート体６６に向かわせる風向板（風向部材）７０が配設してある。
【００５７】
以上のような構成を有する冷媒回路装置においては、断熱筐体６０が低圧側電磁弁２６２，２６３，２６４及び帰還用電磁弁２６５，２６６のそれぞれのバルブ本体２６２１，２６３１，２６４１，２６５１，２６６１をこれら電磁弁の上流側及び下流側に接続された冷媒配管２５の一部とともに囲繞する態様で内部に収容するので、これら電磁弁の断熱性を向上させることができる。そのため、これら電磁弁のそれぞれのバルブ本体２６２１，２６３１，２６４１，２６５１，２６６１に付着する着霜量を低減させ、電磁弁の絶縁劣化を防止することができる。
【００５８】
上記冷媒回路装置によれば、断熱筐体６０の上面、すなわち筐体上部６２には、カプラー２６２２，２６３２，２６４２，２６５２，２６６２毎の色彩の印字が施されているので、カプラー２６２２，２６３２，２６４２，２６５２，２６６２の取り付けミスを防止することができる。
【００５９】
また、上記冷媒回路装置によれば、一部が断熱筐体６０の外部に露出する態様で配設されたシート体６６が断熱筐体６０の内部に生じた結露水を毛管現象にて吸引し、外部に露出した部分で蒸発させるので、断熱筐体６０の内部に結露水が過大に貯留してしまうことを抑制し、これによっても電磁弁の絶縁劣化を防止することができる。
【００６０】
更に、上記冷媒回路装置によれば、風向板７０が、庫外送風ファンＦ１により送出される風の一部を断熱筐体６０の外部に露出するシート体６６に向かわせるので、これによりシート体６６での蒸発を促進させることができる。
【産業上の利用可能性】
【００６１】
以上のように、本発明に係る冷媒回路装置は、冷媒回路における低圧域に配設された電磁弁の絶縁劣化を防止するのに有用であり、特に自動販売機に適している。
【符号の説明】
【００６２】
１０  冷媒回路
２０  主回路
２１  圧縮機
２２  庫外熱交換器
２３  第１キャピラリーチューブ
２４  庫内熱交換器
２５  冷媒配管
２６２，２６３，２６４  低圧側電磁弁
２６５，２６６  帰還用電磁弁
２６２１，２６３１，２６４１，２６５１，２６６１  バルブ本体
２６２２，２６３２，２６４２，２６５２，２６６２  カプラー
２６２３，２６３３，２６４３，２６５３，２６６３  プランジャ
３０  分岐経路
３１  分岐配管
４０  放熱経路
４１  ガスクーラ
４２  放熱配管
５０  戻経路
５１  戻配管
５２  第２キャピラリーチューブ
６０  断熱筐体
６１  筐体下部
６２  筐体上部
６６  シート体
７０  風向板
Ｆ１  庫外送風ファン
【図１】
2011007392.tif 000003
【図２】
2011007392.tif 000004
【図３】
2011007392.tif 000005
【図４】
2011007392.tif 000006
【図５】
2011007392.tif 000007
【図６】
2011007392.tif 000008
【図７】
2011007392.tif 000009
【図８】
2011007392.tif 000010
【図９】
2011007392.tif 000011